【手続補正書】
【提出日】平成23年4月20日(2011.4.20)
【手続補正１】
【補正対象書類名】明細書
【補正対象項目名】０００７
【補正方法】変更
【補正の内容】
【０００７】
本発明のシート積載装置は、シート排出部から排出されたシートを積載する昇降可能な複数の積載手段と、前記複数の積載手段を昇降させる駆動手段と、前記複数の積載手段の内、少なくとも１つの積載手段と前記駆動手段との間に設けられて、前記少なくとも１つの積載手段と前記駆動手段との連結を断つ遮断手段と、前記遮断手段により前記駆動手段との連結を断たれた状態の前記少なくとも１つの積載手段の自重下降を阻止する下降阻止手段と、を備えた、ことを特徴としている。
【手続補正２】
【補正対象書類名】明細書
【補正対象項目名】０００９
【補正方法】変更
【補正の内容】
【０００９】
本発明の画像形成装置は、シートに画像を形成する画像形成部と、前記画像形成部によって画像が形成されたシートを積載する上記のシート積載装置と、を備えている。
【手続補正３】
【補正対象書類名】明細書
【補正対象項目名】００１０
【補正方法】変更
【補正の内容】
【００１０】
本発明のシート積載装置は、少なくとも１つの積載手段が、遮断手段によって駆動手段との連結を断たれ、かつ下降阻止手段によって自重下降を阻止されるようになっているので、上記少なくとも１つの積載手段と他の積載手段との間隔を調整可能である。このため、各積載手段に駆動手段を設ける必要がなく、積載手段の昇降方向の厚みを薄くすることができる。この結果、本発明のシート積載装置は、積載手段同士の間隔を広げることができて、シートの積載枚数を増やすことができる。
本発明のシート積載装置は、遮断手段によって駆動手段との連結を断たれ、かつ下降阻止手段によって自重下降を阻止された状態の積載手段と、駆動手段によって昇降可能な他の積載手段との間隔を、他の積載手段の昇降によって調整可能になっている。この場合、駆動手段は、各積載手段に対して共通の駆動手段である。このため、各積載手段に駆動手段を設ける必要がなく、積載手段の昇降方向の厚みを薄くすることができる。この結果、本発明のシート積載装置は、積載手段同士の間隔を広げることができて、シートの積載枚数を増やすことができる。
【手続補正４】
【補正対象書類名】明細書
【補正対象項目名】００２３
【補正方法】変更
【補正の内容】
【００２３】
シート処理装置Ｂは、画像形成されたシートをそのまま排出する場合、サンプルトレイ２１ａに排出する。また、シート処理装置Ｂは、整合処理、ステイプル処理、孔あけ処理のいずれかの処理をした場合、処理したシートを上部トレイ２１ｂ、下部トレイ２１ｃに排出する。そして、シート処理装置Ｂは、製本処理をしたとき、冊子状のシート束を製本排出ローラ対２８によって、サドル２２に排出するようになっている。
【手続補正５】
【補正対象書類名】明細書
【補正対象項目名】００２５
【補正方法】変更
【補正の内容】
【００２５】
第３搬入経路Ｒ３は、シートを製本装置３５に案内するパスであるとともに、処理トレイ２９上でステイプル処理を行なわれているとき、シート搬入口２３ａから送られた後続シートを一時的に滞留させる待機部も兼ねている。すなわち、ステイプル処理中に送られてきた後続シートは、搬送ローラ対２５とバッファローラ対２７によって、第１搬入経路Ｒ１からの第３搬入経路Ｒ３にスイッチバック搬送されて、第３搬入経路Ｒ３に滞留される。この場合、後続シートは、ステイプル処理時間に応じて、複数枚滞留される。そして、処理トレイ２９上のステイプル処理されたシート束が排出されると、複数枚の後続シートは、重なったまま、バッファローラ対２７と排出ローラ対２５によって、処理トレイ２９に搬送される。なお、パンチ孔形成動作の際、分岐部ＢＰを通過したシートを逆方向に搬送して第３搬入経路Ｒ３に搬入させる正逆転可能なシート搬送部として、バッファローラ対２７と排出ローラ対２５とが構成されている。
【手続補正６】
【補正対象書類名】明細書
【補正対象項目名】００３５
【補正方法】変更
【補正の内容】
【００３５】
なお、クラッチ１１１の代わりにベルト１０５を掴むグリッパを使用してもよい。したがって、遮断手段は、クラッチ１１１に限定されない。
【手続補正７】
【補正対象書類名】明細書
【補正対象項目名】００３８
【補正方法】変更
【補正の内容】
【００３８】
ストッパ機構１２１は、上部トレイ２１ｂに設けられたソレノイド１２２、スピンドル１２３、爪１２４及び引張スプリング１２５と、ケーシング２０に固定されたラック１２８と等で構成されている。
【手続補正８】
【補正対象書類名】明細書
【補正対象項目名】００３９
【補正方法】変更
【補正の内容】
【００３９】
爪１２４の中間部分は、上部トレイ２１ｂに設けられた軸１２６に回転自在に設けられている。爪１２４の一端にスピンドル１２３が回転自在に連結されている。爪１２４の他端と上部トレイ２１ｂとの間に引張スプリング１２５が設けられている。爪１２４には、水平面１２４ａと傾斜面１２４ｂとが形成されている。
【手続補正９】
【補正対象書類名】明細書
【補正対象項目名】００４９
【補正方法】変更
【補正の内容】
【００４９】
次に、シート積載装置１０１の動作を説明する。
【手続補正１０】
【補正対象書類名】明細書
【補正対象項目名】００６３
【補正方法】変更
【補正の内容】
【００６３】
ＣＰＵ２００は、モータ１０３を逆転させて、上部トレイ２１ｂ、下部トレイ２１ｃを上昇させる（Ｓ１３１）。上部トレイ２１ｂが待機位置検知センサＳ１に検知されると（Ｓ１３３）、ＣＰＵ２００は、モータ１０３を停止させる。そして、ＣＰＵ２００は、ソレノイド１２２を非作動状態（ＯＦＦ）にして爪１２４をラック１２８に係合させて、上部トレイ２１ｂの下降を阻止した状態にする。その後、ＣＰＵ２００は、クラッチ１１１も非作動状態（ＯＦＦ）にして上部トレイ２１ｂとベルト１０５との連結を断つ。
【手続補正１１】
【補正対象書類名】明細書
【補正対象項目名】００６５
【補正方法】変更
【補正の内容】
【００６５】
この場合、上部トレイ２１ｂは、従来と異なって、昇降用のモータを有していないので、昇降方向の厚みＴが薄く、上部トレイ２１ｂのシート積載面２１ｂａと下部トレイ２１ｃのシート積載面２１ｃａとの間隔Ｌ（図６）を短くすることができる。この結果、上部トレイ２１ｂがシートを積載しながら下降した場合の上部トレイ下降可能領域Ｗを広く取ることができて、上部トレイ２１ｂのシート積載枚数を増やすことができる。また、下部トレイ２１ｃの厚みＴも、上部トレイ２１ｂと同様に薄くなっている。このため、図２の状態において、下部トレイ下降限度位置Ｈ２を従来よりも下げることができて、下部トレイ２１ｃの積載枚数を増やすことができる。
【手続補正１２】
【補正対象書類名】特許請求の範囲
【補正対象項目名】全文
【補正方法】変更
【補正の内容】
【特許請求の範囲】
【請求項１】
シート排出部から排出されたシートを積載する昇降可能な複数の積載手段と、
前記複数の積載手段を昇降させる駆動手段と、
前記複数の積載手段の内、少なくとも１つの積載手段と前記駆動手段との間に設けられて、前記少なくとも１つの積載手段と前記駆動手段との連結を断つ遮断手段と、
前記遮断手段により前記駆動手段との連結を断たれた状態の前記少なくとも１つの積載手段の自重下降を阻止する下降阻止手段と、を備えた、
ことを特徴とするシート積載装置。
【請求項２】
前記遮断手段によって前記駆動手段との連結が断たれ、かつ前記下降阻止手段によって自重下降を阻止された状態の前記少なくとも１つの積載手段と、前記駆動手段によって昇降可能な他の積載手段との間隔を、前記他の積載手段の昇降によって調整可能である、
ことを特徴とする請求項１に記載のシート積載装置。
【請求項３】
前記複数の積載手段が上下２段の上部積載手段及び下部積載手段を有し、
前記遮断手段は前記上部積載手段と前記駆動手段との連結を断ち、かつ前記下降阻止手段は前記上部積載手段の自重下降を阻止し、
前記下部積載手段は、前記駆動手段に直接連結されて、常時昇降可能であり、
前記遮断手段によって前記駆動手段との連結を断たれ、かつ前記下降阻止手段によって自重下降を阻止された状態の前記上部積載手段と、前記下部積載手段との間隔を、前記下部積載手段を前記駆動手段によって昇降させることによって調整可能である、
ことを特徴とする請求項１に記載のシート積載装置。
【請求項４】
前記上部積載手段は、前記シート排出部の上方と下方の領域内を昇降可能であり、
前記下部積載手段は、前記シート排出部の前記下方の領域内を昇降可能である、
ことを特徴とする請求項３に記載のシート積載装置。
【請求項５】
シートを処理するシート処理手段と、
前記シート処理手段によって処理されたシートを積載する請求項１乃至４のいずれか１項に記載のシート積載装置と、
を備えたことを特徴とするシート処理装置。
【請求項６】
シートに画像を形成する画像形成手段と、
前記画像形成手段によって画像が形成されたシートを積載する請求項１乃至４のいずれか１項記載のシート積載装置と、
を備えたことを特徴とする画像形成装置。
【手続補正１３】
【補正対象書類名】図面
【補正対象項目名】図４
【補正方法】変更
【補正の内容】
【図４】
2011079594.tif 000001